(57)【特許請求の範囲】
【請求項１】
利用者による操作が入力される入力デバイスと、情報を表示する表示デバイスと、記録媒体への画像の印刷を実行する印刷デバイスとを備えている画像形成装置であって、
前記入力デバイスを介した利用者のログインを受け付けるログイン受付手段と、
前記ログイン受付手段によってログインが受け付けられた利用者に関する情報であるログイン利用者情報に基づいて複数通りの設定を構築する設定構築手段と、
前記設定構築手段によって構築された前記複数通りの設定を登録する設定登録手段と、
前記設定登録手段によって登録された設定に対応する設定用ＧＵＩを設定毎に前記表示デバイスに表示させる設定用ＧＵＩ表示手段と、
前記表示デバイスに表示された前記設定用ＧＵＩが前記入力デバイスを介して操作された場合に操作された前記設定用ＧＵＩに対応する設定を反映する設定反映手段と
を備えており、
前記入力デバイスは、入金を受け付ける入金デバイスを含んでおり、
前記設定構築手段は、
前記ログイン受付手段によって前記入金デバイスを介して利用者のログインが受け付けられた場合、利用者に許可されている前記印刷の分量を示す許可分量情報を前記ログイン利用者情報として取得し、
前記ログイン受付手段によって認証情報に基づいて利用者のログインが受け付けられた場合、
利用者による前記画像形成装置の操作履歴と、
前回のログアウト時の前記印刷の設定である前回ログアウト時印刷設定と、
認証後に前記印刷デバイスによって前記印刷が実行される認証要印刷データと、
前記許可分量情報とを前記ログイン利用者情報として取得し、
前記許可分量情報は、前記ログイン受付手段によって前記入金デバイスを介して利用者のログインが受け付けられた場合、前記入金デバイスを介した入金の金額であり、
前記設定構築手段は、
前記ログイン受付手段によって前記入金デバイスを介して利用者のログインが受け付けられた場合、
前記ログイン利用者情報として取得した金額で実行可能である範囲内で最も綺麗な印刷物を得ることができる前記印刷の設定としての第１の綺麗印刷設定と、
印刷データのページ数であるデータページ数であって前記ログイン利用者情報として取得した金額で実行可能である範囲内で印刷可能な前記データページ数が最大となる前記印刷の設定としての第１の最大印刷設定とを構築し、
前記ログイン受付手段によって認証情報に基づいて利用者のログインが受け付けられた場合、
前記ログイン利用者情報として取得した前記操作履歴に基づいて、最も多く実行されている前記印刷の設定としての最多実行印刷設定と、
前記ログイン利用者情報として取得した前記前回ログアウト時印刷設定と、
前記ログイン利用者情報として取得した前記許可分量情報における前記印刷の分量の範囲内で、前記ログイン利用者情報として取得した前記認証要印刷データの全てのページが印刷可能である前記印刷の設定としての認証要印刷データ全ページ印刷設定と、
前記ログイン利用者情報として取得した前記許可分量情報における前記印刷の分量の範囲内で最も綺麗な印刷物を得ることができる前記印刷の設定としての第２の綺麗印刷設定と、
前記ログイン利用者情報として取得した前記許可分量情報における前記印刷の分量の範囲内で印刷可能な前記データページ数が最大となる前記印刷の設定としての第２の最大印刷設定とを構築することを特徴とする画像形成装置。
【請求項２】
前記設定構築手段は、前記ログイン受付手段によって認証情報に基づいて利用者のログインが受け付けられた場合、利用者に許可されている設定を示す許可設定情報を前記ログイン利用者情報として取得しているとき、前記第２の綺麗印刷設定および前記第２の最大印刷設定の少なくとも一方を構築する際に、前記ログイン利用者情報として取得した前記許可分量情報だけでなく、前記ログイン利用者情報として取得した前記許可設定情報にも基づいて構築することを特徴とする請求項１に記載の画像形成装置。
【請求項３】
前記設定用ＧＵＩに対応する設定の詳細内容に対応する詳細表示用ＧＵＩを前記表示デバイスに表示させる詳細表示用ＧＵＩ表示手段と、
前記表示デバイスに表示された前記詳細表示用ＧＵＩが前記入力デバイスを介して操作された場合に前記詳細内容を前記表示デバイスに表示させる詳細表示手段と
を備えていることを特徴とする請求項１または請求項２に記載の画像形成装置。
【請求項４】
前記詳細表示手段は、前記表示デバイスに表示させる設定が前記印刷の設定であるとき、前記許可分量情報における前記印刷の分量の範囲内で前記印刷の設定において印刷可能な最大の前記データページ数を、前記詳細内容に含んでいることを特徴とする請求項３に記載の画像形成装置。
【請求項５】
前記設定登録手段は、利用者がログアウトした場合にログアウトした利用者に対して登録されていた前記複数通りの設定の登録を解除することを特徴とする請求項１から請求項４までの何れかに記載の画像形成装置。
【請求項６】
利用者による操作が入力される入力デバイスと、情報を表示する表示デバイスと、記録媒体への画像の印刷を実行する印刷デバイスとを備えている画像形成装置と、サーバーとを備えている画像形成システムであって、
前記画像形成装置は、前記入力デバイスを介した利用者のログインを受け付けるログイン受付手段を備えており、
前記サーバーは、前記ログイン受付手段によってログインが受け付けられた利用者に関する情報であるログイン利用者情報に基づいて複数通りの設定を構築する設定構築手段を備えており、
前記画像形成装置は、
前記設定構築手段によって構築された前記複数通りの設定を登録する設定登録手段と、
前記設定登録手段によって登録された設定に対応する設定用ＧＵＩを設定毎に前記表示デバイスに表示させる設定用ＧＵＩ表示手段と、
前記表示デバイスに表示された前記設定用ＧＵＩが前記入力デバイスを介して操作された場合に操作された前記設定用ＧＵＩに対応する設定を反映する設定反映手段と
を備えており、
前記入力デバイスは、入金を受け付ける入金デバイスを含んでおり、
前記設定構築手段は、
前記ログイン受付手段によって前記入金デバイスを介して利用者のログインが受け付けられた場合、利用者に許可されている前記印刷の分量を示す許可分量情報を前記ログイン利用者情報として取得し、
前記ログイン受付手段によって認証情報に基づいて利用者のログインが受け付けられた場合、
利用者による前記画像形成装置の操作履歴と、
前回のログアウト時の前記印刷の設定である前回ログアウト時印刷設定と、
認証後に前記印刷デバイスによって前記印刷が実行される認証要印刷データと、
前記許可分量情報とを前記ログイン利用者情報として取得し、
前記許可分量情報は、前記ログイン受付手段によって前記入金デバイスを介して利用者のログインが受け付けられた場合、前記入金デバイスを介した入金の金額であり、
前記設定構築手段は、
前記ログイン受付手段によって前記入金デバイスを介して利用者のログインが受け付けられた場合、
前記ログイン利用者情報として取得した金額で実行可能である範囲内で最も綺麗な印刷物を得ることができる前記印刷の設定としての第１の綺麗印刷設定と、
印刷データのページ数であるデータページ数であって前記ログイン利用者情報として取得した金額で実行可能である範囲内で印刷可能な前記データページ数が最大となる前記印刷の設定としての第１の最大印刷設定とを構築し、
前記ログイン受付手段によって認証情報に基づいて利用者のログインが受け付けられた場合、
前記ログイン利用者情報として取得した前記操作履歴に基づいて、最も多く実行されている前記印刷の設定としての最多実行印刷設定と、
前記ログイン利用者情報として取得した前記前回ログアウト時印刷設定と、
前記ログイン利用者情報として取得した前記許可分量情報における前記印刷の分量の範囲内で、前記ログイン利用者情報として取得した前記認証要印刷データの全てのページが印刷可能である前記印刷の設定としての認証要印刷データ全ページ印刷設定と、
前記ログイン利用者情報として取得した前記許可分量情報における前記印刷の分量の範囲内で最も綺麗な印刷物を得ることができる前記印刷の設定としての第２の綺麗印刷設定と、
前記ログイン利用者情報として取得した前記許可分量情報における前記印刷の分量の範囲内で印刷可能な前記データページ数が最大となる前記印刷の設定としての第２の最大印刷設定とを構築することを特徴とする画像形成システム。
【請求項７】
前記設定構築手段は、前記ログイン受付手段によって認証情報に基づいて利用者のログインが受け付けられた場合、利用者に許可されている設定を示す許可設定情報を前記ログイン利用者情報として取得しているとき、前記第２の綺麗印刷設定および前記第２の最大印刷設定の少なくとも一方を構築する際に、前記ログイン利用者情報として取得した前記許可分量情報だけでなく、前記ログイン利用者情報として取得した前記許可設定情報にも基づいて構築することを特徴とする請求項６に記載の画像形成システム。
【請求項８】
利用者による操作が入力される入力デバイスと、情報を表示する表示デバイスと、記録媒体への画像の印刷を実行する印刷デバイスとを備えている画像形成装置の設定を変更するための設定変更プログラムであって、
前記入力デバイスを介した利用者のログインを受け付けるログイン受付ステップと、
前記ログイン受付ステップによってログインが受け付けられた利用者に関する情報であるログイン利用者情報に基づいて複数通りの設定を構築する設定構築ステップと、
前記設定構築ステップによって構築された前記複数通りの設定を登録する設定登録ステップと、
前記設定登録ステップによって登録された設定に対応する設定用ＧＵＩを設定毎に前記表示デバイスに表示させる設定用ＧＵＩ表示ステップと、
前記表示デバイスに表示された前記設定用ＧＵＩが前記入力デバイスを介して操作された場合に操作された前記設定用ＧＵＩに対応する設定を反映する設定反映ステップと
を前記画像形成装置に実行させ、
前記入力デバイスは、入金を受け付ける入金デバイスを含んでおり、
前記設定構築ステップは、
前記ログイン受付ステップによって前記入金デバイスを介して利用者のログインが受け付けられた場合、利用者に許可されている前記印刷の分量を示す許可分量情報を前記ログイン利用者情報として取得し、
前記ログイン受付ステップによって認証情報に基づいて利用者のログインが受け付けられた場合、
利用者による前記画像形成装置の操作履歴と、
前回のログアウト時の前記印刷の設定である前回ログアウト時印刷設定と、
認証後に前記印刷デバイスによって前記印刷が実行される認証要印刷データと、
前記許可分量情報とを前記ログイン利用者情報として取得するステップであり、
前記許可分量情報は、前記ログイン受付ステップによって前記入金デバイスを介して利用者のログインが受け付けられた場合、前記入金デバイスを介した入金の金額であり、
前記設定構築ステップは、
前記ログイン受付ステップによって前記入金デバイスを介して利用者のログインが受け付けられた場合、
前記ログイン利用者情報として取得した金額で実行可能である範囲内で最も綺麗な印刷物を得ることができる前記印刷の設定としての第１の綺麗印刷設定と、
印刷データのページ数であるデータページ数であって前記ログイン利用者情報として取得した金額で実行可能である範囲内で印刷可能な前記データページ数が最大となる前記印刷の設定としての第１の最大印刷設定とを構築し、
前記ログイン受付ステップによって認証情報に基づいて利用者のログインが受け付けられた場合、
前記ログイン利用者情報として取得した前記操作履歴に基づいて、最も多く実行されている前記印刷の設定としての最多実行印刷設定と、
前記ログイン利用者情報として取得した前記前回ログアウト時印刷設定と、
前記ログイン利用者情報として取得した前記許可分量情報における前記印刷の分量の範囲内で、前記ログイン利用者情報として取得した前記認証要印刷データの全てのページが印刷可能である前記印刷の設定としての認証要印刷データ全ページ印刷設定と、
前記ログイン利用者情報として取得した前記許可分量情報における前記印刷の分量の範囲内で最も綺麗な印刷物を得ることができる前記印刷の設定としての第２の綺麗印刷設定と、
前記ログイン利用者情報として取得した前記許可分量情報における前記印刷の分量の範囲内で印刷可能な前記データページ数が最大となる前記印刷の設定としての第２の最大印刷設定とを構築するステップであることを特徴とする設定変更プログラム。
【請求項９】
前記設定構築ステップは、前記ログイン受付ステップによって認証情報に基づいて利用者のログインが受け付けられた場合、利用者に許可されている設定を示す許可設定情報を前記ログイン利用者情報として取得しているとき、前記第２の綺麗印刷設定および前記第２の最大印刷設定の少なくとも一方を構築する際に、前記ログイン利用者情報として取得した前記許可分量情報だけでなく、前記ログイン利用者情報として取得した前記許可設定情報にも基づいて構築するステップであることを特徴とする請求項８に記載の設定変更プログラム。
【発明の詳細な説明】
【技術分野】
【０００１】
本発明は、ログインが受け付けられた利用者に応じた設定が反映される画像形成装置に関する。
【背景技術】
【０００２】
従来、ログインが受け付けられた利用者に応じた設定が反映される画像形成装置として、利用者の認証を行って利用者の情報を取得し、その利用者の情報に関連付けられた設定情報を取得する画像処理装置が知られている（特許文献１参照。）。
【０００３】
また、ログインが受け付けられた利用者に応じた設定が反映される画像形成装置として、識別した利用者の操作状態に基づいて設定項目を決定する画像形成装置が知られている（特許文献２参照。）。
【先行技術文献】
【特許文献】
【０００４】
【特許文献１】特開２００９−１１８０８２号公報
【特許文献２】特開２０１０−２０１８１４号公報
【発明の概要】
【発明が解決しようとする課題】
【０００５】
しかしながら、特許文献１、２に記載された画像形成装置においては、ログインが受け付けられた利用者に応じた設定が自動的に反映されるので、反映された設定が利用者に適しているとは限らないという問題がある。
【０００６】
そこで、本発明は、従来より利用者に適した設定を反映することができる画像形成装置を提供することを目的とする。
【課題を解決するための手段】
【０００７】
本発明の画像形成装置は、利用者による操作が入力される入力デバイスと、情報を表示する表示デバイスとを備えている画像形成装置であって、前記入力デバイスを介した利用者のログインを受け付けるログイン受付手段と、前記ログイン受付手段によってログインが受け付けられた利用者に関する情報であるログイン利用者情報に基づいて複数通りの設定を構築する設定構築手段と、前記設定構築手段によって構築された前記複数通りの設定を登録する設定登録手段と、前記設定登録手段によって登録された設定に対応する設定用ＧＵＩを設定毎に前記表示デバイスに表示させる設定用ＧＵＩ表示手段と、前記表示デバイスに表示された前記設定用ＧＵＩが前記入力デバイスを介して操作された場合に操作された前記設定用ＧＵＩに対応する設定を反映する設定反映手段とを備えていることを特徴とする。
【０００８】
この構成により、本発明の画像形成装置は、ログイン利用者情報に基づいて構築した複数通りの設定のうち、利用者によって指定された設定を反映するので、従来より利用者に適した設定を反映することができる。
【０００９】
また、本発明の画像形成装置は、記録媒体への画像の印刷を実行する印刷デバイスを備えており、前記複数通りの設定は、複数通りの前記印刷の設定を含んでいても良い。
【００１０】
この構成により、本発明の画像形成装置は、ログイン利用者情報に基づいて構築した複数通りの印刷の設定のうち、利用者によって指定された印刷の設定を反映することができる。
【００１１】
また、本発明の画像形成装置の前記ログイン利用者情報は、利用者に許可されている前記印刷の分量を示す許可分量情報が含まれており、前記複数通りの前記印刷の設定は、印刷データのページ数であるデータページ数であって前記許可分量情報における前記印刷の分量の範囲内で印刷可能な前記データページ数が最大となる前記印刷の設定を含んでいても良い。
【００１２】
この構成により、本発明の画像形成装置は、利用者に許可されている印刷の分量の範囲内で印刷可能なデータページ数が最大となる印刷の設定を反映することができるので、印刷可能なデータページ数が最大となる印刷を利用者に容易に実行させることができる。
【００１３】
また、本発明の画像形成装置の前記入力デバイスは、入金を受け付ける入金デバイスを含んでおり、前記ログイン受付手段によって前記入金デバイスを介してログインが受け付けられた利用者の前記許可分量情報における前記印刷の分量は、前記入金デバイスを介した入金の金額であっても良い。
【００１４】
この構成により、本発明の画像形成装置は、印刷可能なデータページ数が入金の金額の範囲内で最大となる印刷の設定を反映することができる。
【００１５】
また、本発明の画像形成装置は、前記設定用ＧＵＩに対応する設定の詳細内容に対応する詳細表示用ＧＵＩを前記表示デバイスに表示させる詳細表示用ＧＵＩ表示手段と、前記表示デバイスに表示された前記詳細表示用ＧＵＩが前記入力デバイスを介して操作された場合に前記詳細内容を前記表示デバイスに表示させる詳細表示手段とを備えていても良い。
【００１６】
この構成により、本発明の画像形成装置は、ログイン利用者情報に基づいて構築した複数通りの設定の詳細内容を表示するので、複数通りの設定のうち反映する設定を利用者に容易に選択させることができる。
【００１７】
また、本発明の画像形成装置は、前記設定用ＧＵＩに対応する設定の詳細内容に対応する詳細表示用ＧＵＩを前記表示デバイスに表示させる詳細表示用ＧＵＩ表示手段と、前記表示デバイスに表示された前記詳細表示用ＧＵＩが前記入力デバイスを介して操作された場合に前記詳細内容を前記表示デバイスに表示させる詳細表示手段とを備えており、前記詳細表示手段は、前記表示デバイスに表示させる設定が前記印刷の設定であるとき、前記許可分量情報における前記印刷の分量の範囲内で前記印刷の設定において印刷可能な最大の前記データページ数を、前記詳細内容に含んでいても良い。
【００１８】
この構成により、本発明の画像形成装置は、利用者に許可されている印刷の分量の範囲内で印刷可能な最大のデータページ数を印刷の設定毎に表示するので、複数通りの印刷の設定のうち反映する設定を利用者に容易に選択させることができる。
【００１９】
また、本発明の画像形成装置の前記設定登録手段は、利用者がログアウトした場合にログアウトした利用者に対して登録されていた前記複数通りの設定の登録を解除しても良い。
【００２０】
この構成により、本発明の画像形成装置は、表示デバイスに表示する設定用ＧＵＩを利用者毎に切り替えるので、利用者に適した設定を反映することができる。
【００２１】
本発明の画像形成システムは、利用者による操作が入力される入力デバイスと、情報を表示する表示デバイスとを備えている画像形成装置と、サーバーとを備えている画像形成システムであって、前記画像形成装置は、前記入力デバイスを介した利用者のログインを受け付けるログイン受付手段を備えており、前記サーバーは、前記ログイン受付手段によってログインが受け付けられた利用者に関する情報であるログイン利用者情報に基づいて複数通りの設定を構築する設定構築手段を備えており、前記画像形成装置は、前記設定構築手段によって構築された前記複数通りの設定を登録する設定登録手段と、前記設定登録手段によって登録された設定に対応する設定用ＧＵＩを設定毎に前記表示デバイスに表示させる設定用ＧＵＩ表示手段と、前記表示デバイスに表示された前記設定用ＧＵＩが前記入力デバイスを介して操作された場合に操作された前記設定用ＧＵＩに対応する設定を反映する設定反映手段とを備えていることを特徴とする。
【００２２】
この構成により、本発明の画像形成システムは、ログイン利用者情報に基づいてサーバーが構築した複数通りの設定のうち、利用者によって指定された設定を画像形成装置が反映するので、従来より利用者に適した設定を画像形成装置が反映することができる。
【００２３】
本発明の設定変更プログラムは、利用者による操作が入力される入力デバイスと、情報を表示する表示デバイスとを備えている画像形成装置の設定を変更するための設定変更プログラムであって、前記入力デバイスを介した利用者のログインを受け付けるログイン受付ステップと、前記ログイン受付ステップによってログインが受け付けられた利用者に関する情報であるログイン利用者情報に基づいて複数通りの設定を構築する設定構築ステップと、前記設定構築ステップによって構築された前記複数通りの設定を登録する設定登録ステップと、前記設定登録ステップによって登録された設定に対応する設定用ＧＵＩを設定毎に前記表示デバイスに表示させる設定用ＧＵＩ表示ステップと、前記表示デバイスに表示された前記設定用ＧＵＩが前記入力デバイスを介して操作された場合に操作された前記設定用ＧＵＩに対応する設定を反映する設定反映ステップとを前記画像形成装置に実行させることを特徴とする。
【００２４】
この構成により、本発明の設定変更プログラムを実行する画像形成装置は、ログイン利用者情報に基づいて構築した複数通りの設定のうち、利用者によって指定された設定を反映するので、従来より利用者に適した設定を反映することができる。
【発明の効果】
【００２５】
本発明の画像形成装置は、従来より利用者に適した設定を反映することができる。
【図面の簡単な説明】
【００２６】
【図１】本発明の一実施の形態に係るネットワークシステムのブロック図である。
【図２】図１に示すＭＦＰのブロック図である。
【図３】図１に示すサーバーのブロック図である。
【図４】図１に示すＰＣのブロック図である。
【図５】利用者からログインの操作を受けた場合の図２に示すＭＦＰの動作のフローチャートである。
【図６】コイン利用者のログインが受け付けられている場合に図２に示す表示部に表示される初期画面を示す図である。
【図７】認証利用者のログインが受け付けられている場合に図２に示す表示部に表示される初期画面を示す図である。
【図８】図６に示す詳細内容表示ボタンが操作された場合のＭＦＰの動作のフローチャートである。
【図９】図６に示す綺麗印刷用設定コピーボタンに対応する詳細内容画面を示す図である。
【図１０】図６に示す綺麗印刷用設定コピーボタンが操作された場合のＭＦＰの動作のフローチャートである。
【図１１】利用者からログアウトの操作を受けた場合の図２に示すＭＦＰの動作のフローチャートである。
【発明を実施するための形態】
【００２７】
以下、本発明の一実施の形態について、図面を用いて説明する。
【００２８】
まず、本実施の形態に係る画像形成システムとしてのネットワークシステムの構成について説明する。
【００２９】
図１は、本実施の形態に係るネットワークシステム１０のブロック図である。
【００３０】
図１に示すように、ネットワークシステム１０は、画像形成装置であるＭＦＰ（Ｍｕｌｔｉｆｕｎｃｔｉｏｎ  Ｐｅｒｉｐｈｅｒａｌ）２０と、サーバー５０と、ＭＦＰ２０の外部の装置であるＰＣ(Ｐｅｒｓｏｎａｌ  Ｃｏｍｐｕｔｅｒ)８０とを備えている。ＭＦＰ２０、サーバー５０およびＰＣ８０は、ＬＡＮ（Ｌｏｃａｌ  Ａｒｅａ  Ｎｅｔｗｏｒｋ）、インターネットなどのネットワーク１１を介して互いに通信可能に接続されている。
【００３１】
図２は、ＭＦＰ２０のブロック図である。
【００３２】
図２に示すように、ＭＦＰ２０は、利用者によるコイン（お金）の投入の操作が入力される入力デバイスであってコインによる入金を受け付ける入金デバイスであるコインベンダー２１と、利用者によるＩＣ（Ｉｎｔｅｇｒａｔｅｄ  Ｃｉｒｃｕｉｔ）カードの提示の操作が入力される入力デバイスであってＩＣカードから情報を読み取るＩＣカードリーダー２２と、利用者による種々の操作が入力されるボタンなどの入力デバイスである操作部２３と、種々の情報を表示するＬＣＤ（Ｌｉｑｕｉｄ  Ｃｒｙｓｔａｌ  Ｄｉｓｐｌａｙ）などの表示デバイスである表示部２４と、用紙などの記録媒体への画像の印刷を実行する印刷デバイスであるプリンター２５と、原稿から画像を読み取る読取デバイスであるスキャナー２６と、公衆電話回線などの通信回線経由でファックス通信を行うファックスデバイスであるファックス通信部２７と、ネットワーク１１経由で通信を行うネットワーク通信デバイスであるネットワーク通信部２８と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの記憶デバイスである記憶部３０と、ＭＦＰ２０全体を制御する制御部４０とを備えている。
【００３３】
記憶部３０は、ＭＦＰ２０の設定を変更するためのＪａｖａ（登録商標）アプリケーションプログラムである設定変更プログラム３１を記憶している。設定変更プログラム３１は、ＭＦＰ２０の製造段階でＭＦＰ２０にインストールされていても良いし、ＵＳＢ（Ｕｎｉｖｅｒｓａｌ  Ｓｅｒｉａｌ  Ｂｕｓ）メモリー、ＳＤメモリーカードなどの記憶媒体からＭＦＰ２０に追加でインストールされても良いし、ネットワーク１１上からＭＦＰ２０に追加でインストールされても良い。
【００３４】
記憶部３０は、利用者のＩＤおよびパスワードの組み合わせを示す認証情報３２と、利用者によるＭＦＰ２０の操作履歴３３と、プリンター２５による印刷の設定（以下「印刷設定」と言う。）であって前回のログアウト時の印刷設定である前回ログアウト時印刷設定３４と、ＩＣカードリーダー２２または操作部２３からの認証後にプリンター２５によって印刷される認証要印刷データ３５と、利用者に許可されている印刷の分量を示す許可分量情報３６と、利用者に許可されている設定を示す許可設定情報３７とを利用者毎に記憶することが可能である。操作履歴３３、前回ログアウト時印刷設定３４、認証要印刷データ３５、許可分量情報３６および許可設定情報３７は、後述のログイン利用者情報である。
【００３５】
制御部４０は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部３０に記憶されているプログラムを実行するようになっている。
【００３６】
制御部４０は、記憶部３０に記憶されている設定変更プログラム３１を実行することによって、コインベンダー２１、ＩＣカードリーダー２２および操作部２３を介した利用者のログインを受け付けるログイン受付手段４１、ログイン受付手段４１によってログインが受け付けられた利用者に関する情報であるログイン利用者情報に基づいて複数通りの設定を構築する設定構築手段４２、設定構築手段４２または後述の設定構築手段７１によって構築された複数通りの設定を登録する設定登録手段４３、設定登録手段４３によって登録された設定に対応する設定用ＧＵＩを設定毎に表示部２４に表示させる設定用ＧＵＩ表示手段４４、表示部２４に表示された設定用ＧＵＩが操作部２３を介して操作された場合に操作された設定用ＧＵＩに対応する設定を反映する設定反映手段４５、設定用ＧＵＩに対応する設定の詳細内容に対応する詳細表示用ＧＵＩを表示部２４に表示させる詳細表示用ＧＵＩ表示手段４６、および、表示部２４に表示された詳細表示用ＧＵＩが操作部２３を介して操作された場合に設定用ＧＵＩに対応する設定の詳細内容を表示部２４に表示させる詳細表示手段４７として機能する。
【００３７】
図３は、サーバー５０のブロック図である。
【００３８】
図３に示すように、サーバー５０は、利用者による種々の操作が入力されるマウス、キーボードなどの入力デバイスである操作部５１と、種々の情報を表示するＬＣＤなどの表示デバイスである表示部５２と、ネットワーク１１経由で通信を行うネットワーク通信デバイスであるネットワーク通信部５３と、各種のデータを記憶しているＨＤＤなどの記憶デバイスである記憶部６０と、サーバー５０全体を制御する制御部７０とを備えている。
【００３９】
記憶部６０は、利用者のＩＤおよびパスワードの組み合わせを示す認証情報６１と、利用者によるＭＦＰ２０の操作履歴６２と、ＭＦＰ２０の前回のログアウト時の印刷設定である前回ログアウト時印刷設定６３と、ＭＦＰ２０のＩＣカードリーダー２２または操作部２３からの認証後にプリンター２５によって印刷される認証要印刷データ６４と、利用者に許可されている印刷の分量を示す許可分量情報６５と、利用者に許可されている設定を示す許可設定情報６６とを利用者毎に記憶することが可能である。操作履歴６２、前回ログアウト時印刷設定６３、認証要印刷データ６４、許可分量情報６５および許可設定情報６６は、ログイン利用者情報である。
【００４０】
制御部７０は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部６０に記憶されているプログラムを実行するようになっている。
【００４１】
制御部７０は、記憶部６０に記憶されているプログラムを実行することによって、ＭＦＰ２０のログイン受付手段４１によってログインが受け付けられた利用者に関する情報であるログイン利用者情報に基づいて複数通りの設定を構築する設定構築手段７１として機能する。
【００４２】
図４は、ＰＣ８０のブロック図である。
【００４３】
図４に示すように、ＰＣ８０は、利用者による種々の操作が入力されるマウス、キーボードなどの入力デバイスである操作部８１と、種々の情報を表示するＬＣＤなどの表示デバイスである表示部８２と、ネットワーク１１経由で通信を行うネットワーク通信デバイスであるネットワーク通信部８３と、各種のデータを記憶しているＨＤＤなどの記憶デバイスである記憶部８４と、ＰＣ８０全体を制御する制御部８５とを備えている。
【００４４】
記憶部８４は、ＭＦＰ２０を制御するためのプリンタードライバー８４ａを記憶している。
【００４５】
プリンタードライバー８４ａは、ＰＣ８０の製造段階でＰＣ８０にインストールされていても良いし、ＵＳＢメモリー、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）などの記憶媒体からＰＣ８０に追加でインストールされても良いし、ネットワーク１１上からＰＣ８０に追加でインストールされても良い。
【００４６】
制御部８５は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部８４に記憶されているプログラムを実行するようになっている。
【００４７】
次に、ネットワークシステム１０の動作について説明する。
【００４８】
なお、ＭＦＰ２０の制御部４０は、プリンター２５による印刷に応じてコインベンダー２１に投入されたコインの金額を変更する。例えば、制御部４０は、記録媒体の片面のみに印刷する片面印刷であるモノクロ印刷を１枚の記録媒体に実行する度に、金額を１０円減らし、記録媒体の両面に印刷する両面印刷であるモノクロ印刷を１枚の記録媒体に実行する度に、金額を２０円減らし、片面印刷であるカラー印刷を１枚の記録媒体に実行する度に、金額を４０円減らし、両面印刷であるカラー印刷を１枚の記録媒体に実行する度に、金額を８０円減らす。なお、金額を減らす条件および減らす量は、以上に説明した例に限られず、任意に設計されることが可能である。制御部４０は、コインベンダー２１にコインが投入されることによって、コインベンダー２１に投入されたコインの金額を変更することができる。
【００４９】
また、制御部４０は、利用者によるＭＦＰ２０の操作がある度に、記憶部３０上の操作履歴３３を更新する。
【００５０】
また、制御部４０は、利用者がログアウトする度に、ログアウト時の印刷設定で記憶部３０上の前回ログアウト時印刷設定３４を更新する。
【００５１】
また、制御部４０は、プリンター２５による印刷に応じて許可分量情報３６の値を変更する。例えば、制御部４０は、片面印刷であるモノクロ印刷を１枚の記録媒体に実行する度に、許可分量情報３６の値を１減らし、両面印刷であるモノクロ印刷を１枚の記録媒体に実行する度に、許可分量情報３６の値を２減らし、片面印刷であるカラー印刷を１枚の記録媒体に実行する度に、許可分量情報３６の値を４減らし、両面印刷であるカラー印刷を１枚の記録媒体に実行する度に、許可分量情報３６の値を８減らす。なお、許可分量情報３６を減らす条件および減らす量は、以上に説明した例に限られず、任意に設計されることが可能である。制御部４０は、操作部２３またはＰＣ８０の操作部８１を介した利用者からの指示に応じて許可分量情報３６の値を変更することができる。
【００５２】
また、制御部４０は、操作部２３またはＰＣ８０の操作部８１を介した利用者からの指示に応じて許可設定情報３７の内容を変更することができる。
【００５３】
また、ＰＣ８０のプリンタードライバー８４ａを実行する制御部８５が利用者のＩＤおよびパスワードを含んだ印刷データをＭＦＰ２０に送信すると、制御部４０は、送信されてきた印刷データを認証要印刷データ３５として記憶部３０に記憶させる。なお、制御部４０は、各利用者について複数の認証要印刷データ３５を記憶部３０に記憶させることができる。
【００５４】
以上においては、制御部４０による記憶部３０上の操作履歴３３、前回ログアウト時印刷設定３４、認証要印刷データ３５、許可分量情報３６および許可設定情報３７の変更について説明している。同様に、サーバー５０の制御部７０は、記憶部６０上の操作履歴６２、前回ログアウト時印刷設定６３、認証要印刷データ６４、許可分量情報６５および許可設定情報６６を変更することができる。
【００５５】
図５は、利用者からログインの操作を受けた場合のＭＦＰ２０の動作のフローチャートである。
【００５６】
利用者がＭＦＰ２０にログインの操作を入力すると、ＭＦＰ２０の制御部４０は、図５に示す動作を開始する。ここで、ログインの操作とは、利用者がコインベンダー２１にコインを投入すること、利用者がＩＣカードリーダー２２に利用者の認証用のＩＣカードを提示すること、および、利用者が操作部２３に利用者のＩＤおよびパスワードを直接入力することの何れかである。
【００５７】
図５に示すように、ＭＦＰ２０の制御部４０のログイン受付手段４１は、利用者によるログインの操作の種類を確認する（Ｓ１０１）。
【００５８】
ログイン受付手段４１は、利用者によるログインの操作の種類がコインベンダー２１へのコインの投入であるとＳ１０１において判断すると、コインの投入によってログインした利用者（以下「コイン利用者」と言う。）として利用者のログインを受け付ける（Ｓ１０２）。
【００５９】
ログイン受付手段４１は、利用者によるログインの操作の種類がＩＣカードリーダー２２への認証用のＩＣカードの提示であるとＳ１０１において判断すると、ＩＣカードリーダー２２に提示された認証用のＩＣカードからＩＣカードリーダー２２によって利用者のＩＤおよびパスワードを読み取る（Ｓ１０３）。
【００６０】
ログイン受付手段４１は、利用者によるログインの操作の種類が操作部２３へのＩＤおよびパスワードの直接入力であるとＳ１０１において判断するか、Ｓ１０３の処理を終了すると、利用者の認証処理を実行する（Ｓ１０４）。
【００６１】
ここで、ログイン受付手段４１は、記憶部３０上の認証情報３２に基づいてＳ１０４の処理を実行することが設定されている場合、ＩＣカードリーダー２２によって認証用のＩＣカードから読み取られた利用者のＩＤおよびパスワードの組み合わせ、または、操作部２３に直接入力された利用者のＩＤおよびパスワードの組み合わせが記憶部３０上の認証情報３２に含まれているか否かを判断する。そして、ログイン受付手段４１は、利用者のＩＤおよびパスワードの組み合わせが記憶部３０上の認証情報３２に含まれていると判断すると、認証が成功したと判断する。一方、ログイン受付手段４１は、利用者のＩＤおよびパスワードの組み合わせが記憶部３０上の認証情報３２に含まれていないと判断すると、認証が失敗したと判断する。
【００６２】
また、ログイン受付手段４１は、サーバー５０の記憶部６０上の認証情報６１に基づいてＳ１０４の処理を実行することが設定されている場合、ＩＣカードリーダー２２によって認証用のＩＣカードから読み取られた利用者のＩＤおよびパスワードの組み合わせ、または、操作部２３に直接入力された利用者のＩＤおよびパスワードの組み合わせが記憶部６０上の認証情報６１に含まれているか否かをサーバー５０に問い合わせる。そして、サーバー５０の制御部７０は、利用者のＩＤおよびパスワードの組み合わせが記憶部６０上の認証情報６１に含まれていると判断すると、認証が成功したと判断して、その旨をＭＦＰ２０に返信する。一方、サーバー５０の制御部７０は、利用者のＩＤおよびパスワードの組み合わせが記憶部６０上の認証情報６１に含まれていないと判断すると、認証が失敗したと判断して、その旨をＭＦＰ２０に返信する。したがって、ＭＦＰ２０の制御部４０のログイン受付手段４１は、認証が成功したか否かを判断することができる。
【００６３】
ログイン受付手段４１は、Ｓ１０４の処理を終了すると、Ｓ１０４における認証処理において認証が成功したか否かを判断する（Ｓ１０５）。
【００６４】
ログイン受付手段４１は、認証が成功したとＳ１０５において判断すると、Ｓ１０４における認証処理によって認証された利用者（以下「認証利用者」と言う。）として利用者のログインを受け付ける（Ｓ１０６）。
【００６５】
制御部４０の設定構築手段４２は、Ｓ１０２またはＳ１０６の処理の後、ログイン利用者情報を取得する（Ｓ１０７）。
【００６６】
ここで、設定構築手段４２は、Ｓ１０２によってコイン利用者のログインが受け付けられている場合、コインベンダー２１に投入されたコインの金額をログイン利用者情報として取得する。この金額は、利用者に許可されている印刷の分量の情報でもあるので、本発明の許可分量情報である。
【００６７】
また、設定構築手段４２は、Ｓ１０６によって認証利用者のログインが受け付けられている場合、記憶部３０上の操作履歴３３またはサーバー５０の記憶部６０上の操作履歴６２と、記憶部３０上の前回ログアウト時印刷設定３４またはサーバー５０の記憶部６０上の前回ログアウト時印刷設定６３と、記憶部３０上の認証要印刷データ３５またはサーバー５０の記憶部６０上の認証要印刷データ６４と、記憶部３０上の許可分量情報３６またはサーバー５０の記憶部６０上の許可分量情報６５と、記憶部３０上の許可設定情報３７またはサーバー５０の記憶部６０上の許可設定情報６６とのうち、記憶部３０またはサーバー５０の記憶部６０に記憶されているものをログイン利用者情報として取得する。
【００６８】
そして、設定構築手段４２は、Ｓ１０７において取得したログイン利用者情報に基づいて複数通りの設定を構築する（Ｓ１０８）。
【００６９】
ここで、設定構築手段４２は、Ｓ１０２によってコイン利用者のログインが受け付けられている場合、ログイン利用者情報として取得した金額に基づいて、例えば、その金額で実行可能である範囲内で最も綺麗な印刷物を得ることができる印刷設定（以下「コイン綺麗印刷設定」と言う。）を構築する。コイン綺麗印刷設定としては、例えば、片面印刷、記録媒体の同一面に印刷データの１ページを印刷する通常印刷、および、カラー印刷である片面通常カラー印刷であって、印刷濃度が片面通常カラー印刷に最適な印刷設定、両面印刷、通常印刷およびカラー印刷である両面通常カラー印刷であって、印刷濃度が両面通常カラー印刷に最適な印刷設定などがある。
【００７０】
また、設定構築手段４２は、Ｓ１０２によってコイン利用者のログインが受け付けられている場合、ログイン利用者情報として取得した金額に基づいて、例えば、印刷データのページ数であるデータページ数であってその金額で実行可能である範囲内で印刷可能なデータページ数が最大となる印刷設定（以下「コイン最大印刷設定」と言う。）を構築する。コイン最大印刷設定としては、例えば、片面印刷、記録媒体の同一面に印刷データの複数ページを印刷する集約印刷、および、モノクロ印刷である片面集約モノクロ印刷であって、印刷濃度が片面集約モノクロ印刷に最適な印刷設定などがある。
【００７１】
また、設定構築手段４２は、Ｓ１０６によって認証利用者のログインが受け付けられている場合、ログイン利用者情報として取得した操作履歴３３または操作履歴６２に基づいて、例えば、最も多く実行されている印刷設定（以下「最多実行印刷設定」と言う。）を構築する。最多実行印刷設定は、例えば、両面印刷、集約印刷およびモノクロ印刷である両面集約モノクロ印刷が最も多く実行されているとき、両面集約モノクロ印刷であって、印刷濃度が両面集約モノクロ印刷に最適な印刷設定である。
【００７２】
また、設定構築手段４２は、Ｓ１０６によって認証利用者のログインが受け付けられている場合、ログイン利用者情報として取得した前回ログアウト時印刷設定３４または前回ログアウト時印刷設定６３と同じ印刷設定（以下「前回ログアウト時印刷設定」と言う。）を構築する。前回ログアウト時印刷設定は、例えば、両面印刷、集約印刷およびカラー印刷である両面集約カラー印刷であって、印刷濃度が特定の濃度である印刷設定が前回のログアウト時の印刷設定であるとき、その印刷設定である。
【００７３】
また、設定構築手段４２は、Ｓ１０６によって認証利用者のログインが受け付けられている場合、ログイン利用者情報として取得した認証要印刷データ３５または認証要印刷データ６４と、ログイン利用者情報として取得した許可分量情報３６または許可分量情報６５とに基づいて、例えば、許可分量情報３６または許可分量情報６５における印刷の分量の範囲内で、認証要印刷データ３５または認証要印刷データ６４の全てのページが印刷可能である印刷設定（以下「認証要印刷データ全ページ印刷設定」と言う。）を構築する。認証要印刷データ全ページ印刷設定としては、例えば、認証要印刷データ３５または認証要印刷データ６４に含まれている印刷設定が片面通常カラー印刷の印刷設定である場合、許可分量情報３６または許可分量情報６５における印刷の分量の範囲内で、認証要印刷データ３５または認証要印刷データ６４の全てのページが片面通常カラー印刷で印刷可能であるとき、片面通常カラー印刷であって、印刷濃度が片面通常カラー印刷に最適な印刷設定である。一方、許可分量情報３６または許可分量情報６５における印刷の分量の範囲内で、片面通常カラー印刷によっては認証要印刷データ３５または認証要印刷データ６４の全てのページが印刷可能ではなく、例えば、認証要印刷データ３５または認証要印刷データ６４の全てのページが片面印刷、集約印刷およびカラー印刷である片面集約カラー印刷で印刷可能であるとき、認証要印刷データ全ページ印刷設定は、片面集約カラー印刷であって、印刷濃度が片面集約カラー印刷に最適な印刷設定である。なお、設定構築手段４２は、ログイン利用者情報として許可設定情報３７または許可設定情報６６を取得している場合、ログイン利用者情報として取得した許可設定情報３７または許可設定情報６６にも基づいて、認証要印刷データ全ページ印刷設定を構築する。例えば、認証利用者が許可設定情報３７または許可設定情報６６においてカラー印刷が許可されていない場合、モノクロ印刷の印刷設定を構築する。
【００７４】
また、設定構築手段４２は、Ｓ１０６によって認証利用者のログインが受け付けられている場合、ログイン利用者情報として取得した許可分量情報３６または許可分量情報６５に基づいて、例えば、許可分量情報３６または許可分量情報６５における印刷の分量の範囲内で、最も綺麗な印刷物を得ることができる印刷設定（以下「認証綺麗印刷設定」と言う。）を構築する。なお、設定構築手段４２は、ログイン利用者情報として許可設定情報３７または許可設定情報６６を取得している場合、ログイン利用者情報として取得した許可設定情報３７または許可設定情報６６にも基づいて、認証綺麗印刷設定を構築する。認証綺麗印刷設定としては、例えば、認証利用者が許可設定情報３７または許可設定情報６６においてカラー印刷が許可されていない場合、許可分量情報３６または許可分量情報６５における印刷の分量に応じて、例えば、片面印刷、通常印刷およびモノクロ印刷である片面通常モノクロ印刷であって、印刷濃度が片面通常モノクロ印刷に最適な印刷設定、両面印刷、通常印刷およびモノクロ印刷である両面通常モノクロ印刷であって、印刷濃度が両面通常モノクロ印刷に最適な印刷設定などがある。
【００７５】
また、設定構築手段４２は、Ｓ１０６によって認証利用者のログインが受け付けられている場合、ログイン利用者情報として取得した許可分量情報３６または許可分量情報６５に基づいて、例えば、許可分量情報３６または許可分量情報６５における印刷の分量の範囲内で印刷可能なデータページ数が最大となる印刷設定（以下「認証最大印刷設定」と言う。）を構築する。なお、設定構築手段４２は、ログイン利用者情報として許可設定情報３７または許可設定情報６６を取得している場合、ログイン利用者情報として取得した許可設定情報３７または許可設定情報６６にも基づいて、認証最大印刷設定を構築する。認証最大印刷設定としては、例えば、認証利用者が許可設定情報３７または許可設定情報６６において両面印刷が許可されていない場合、例えば、片面集約モノクロ印刷であって、印刷濃度が片面集約モノクロ印刷に最適な印刷設定などがある。
【００７６】
なお、以上において説明した設定構築手段４２による設定の構築は、一例である。設定構築手段４２は、Ｓ１０７において取得したログイン利用者情報に基づいて様々な設定を構築することができる。
【００７７】
制御部４０の設定登録手段４３は、Ｓ１０８の処理の後、Ｓ１０８において構築された複数通りの設定をプログラムとして登録する（Ｓ１０９）。
【００７８】
制御部４０の設定用ＧＵＩ表示手段４４は、Ｓ１０９の処理の後、Ｓ１０８において登録されたプログラムに対応する設定用ＧＵＩを設定毎に表示部２４に表示させる（Ｓ１１０）。
【００７９】
ここで、設定用ＧＵＩ表示手段４４は、Ｓ１０２によってコイン利用者のログインが受け付けられている場合、例えば、表示部２４に図６に示す画面を表示させる。
【００８０】
図６は、コイン利用者のログインが受け付けられている場合に表示部２４に表示される初期画面を示す図である。
【００８１】
図６に示す初期画面は、コイン綺麗印刷設定によるコピーを実行するためのボタンである設定用ＧＵＩとしての綺麗印刷用設定コピーボタン２４ａと、コイン最大印刷設定によるコピーを実行するためのボタンである設定用ＧＵＩとしての大量印刷用設定コピーボタン２４ｂと、設定用ＧＵＩに対応する設定の詳細内容を表示部２４に表示させるためのボタンである詳細表示用ＧＵＩとしての詳細内容表示ボタン２４ｃとを含んでいる。綺麗印刷用設定コピーボタン２４ａ、大量印刷用設定コピーボタン２４ｂは、それぞれコイン綺麗印刷設定、コイン最大印刷設定が構築されている場合にのみ表示される。なお、詳細内容表示ボタン２４ｃは、制御部４０の詳細表示用ＧＵＩ表示手段４６によって、表示部２４に表示させられる。
【００８２】
また、設定用ＧＵＩ表示手段４４は、Ｓ１０６によって認証利用者のログインが受け付けられている場合、例えば、表示部２４に図７に示す画面を表示させる。
【００８３】
図７は、認証利用者のログインが受け付けられている場合に表示部２４に表示される初期画面を示す図である。
【００８４】
図７に示す初期画面は、最多実行印刷設定によるコピーを実行するためのボタンである設定用ＧＵＩとしての最多実行設定コピーボタン２４ｄと、前回ログアウト時印刷設定によるコピーを実行するためのボタンである設定用ＧＵＩとしての前回ログアウト時設定コピーボタン２４ｅと、認証要印刷データ全ページ印刷設定による認証用印刷データの印刷を実行するためのボタンである設定用ＧＵＩとしての最適セキュリティープリントボタン２４ｆと、認証綺麗印刷設定によるコピーを実行するためのボタンである設定用ＧＵＩとしての綺麗印刷用設定コピーボタン２４ｇと、認証最大印刷設定によるコピーを実行するためのボタンである設定用ＧＵＩとしての大量印刷用設定コピーボタン２４ｈと、設定用ＧＵＩに対応する設定の詳細内容を表示部２４に表示させるためのボタンである詳細表示用ＧＵＩとしての詳細内容表示ボタン２４ｉとを含んでいる。最多実行設定コピーボタン２４ｄ、前回ログアウト時設定コピーボタン２４ｅ、最適セキュリティープリントボタン２４ｆ、綺麗印刷用設定コピーボタン２４ｇ、大量印刷用設定コピーボタン２４ｈは、それぞれ最多実行印刷設定、前回ログアウト時印刷設定、認証要印刷データ全ページ印刷設定、認証綺麗印刷設定、認証最大印刷設定が構築されている場合にのみ表示される。なお、詳細内容表示ボタン２４ｉは、制御部４０の詳細表示用ＧＵＩ表示手段４６によって、表示部２４に表示させられる。
【００８５】
図５に示すように、制御部４０は、認証が失敗したとＳ１０５において判断するか、Ｓ１１０の処理の後、図５に示す処理を終了する。
【００８６】
以上においては、Ｓ１０７およびＳ１０８の処理が設定構築手段４２によって実行されるようになっているが、Ｓ１０７およびＳ１０８の少なくとも一方の処理がサーバー５０の制御部７０の設定構築手段７１によって実行されるようになっていても良い。
【００８７】
図８は、図６に示す詳細内容表示ボタン２４ｃが操作された場合のＭＦＰ２０の動作のフローチャートである。
【００８８】
表示部２４が図６に示す初期画面を表示している場合、利用者が操作部２３を介して詳細内容表示ボタン２４ｃを操作すると、ＭＦＰ２０の制御部４０の詳細表示手段４７は、図８に示す動作を開始する。
【００８９】
図８に示すように、詳細表示手段４７は、表示部２４に表示されている設定用ＧＵＩ、すなわち、綺麗印刷用設定コピーボタン２４ａまたは大量印刷用設定コピーボタン２４ｂが操作部２３を介して操作されたと判断するまで、綺麗印刷用設定コピーボタン２４ａまたは大量印刷用設定コピーボタン２４ｂが操作部２３を介して操作されたか否かを判断する（Ｓ１２１）。
【００９０】
詳細表示手段４７は、綺麗印刷用設定コピーボタン２４ａまたは大量印刷用設定コピーボタン２４ｂが操作部２３を介して操作されたと判断すると、操作されたボタンに対応する設定の詳細内容を示す図９に示すような詳細内容画面を表示部２４に表示させる（Ｓ１２２）。
【００９１】
図９は、図６に示す綺麗印刷用設定コピーボタン２４ａに対応する詳細内容画面を示す図である。
【００９２】
図９に示す詳細内容画面は、綺麗印刷用設定コピーボタン２４ａに対応する設定であるコイン綺麗印刷設定の説明と、コイン綺麗印刷設定がカラー印刷およびモノクロ印刷の何れかであるかという情報と、コイン綺麗印刷設定が片面印刷および両面印刷の何れかであるかという情報と、コイン綺麗印刷設定が通常印刷（集約なし）および集約印刷の何れかであるかという情報と、コイン綺麗印刷設定の印刷濃度と、コインベンダー２１に投入されたコインの金額で実行可能である範囲内でコイン綺麗印刷設定において印刷可能な最大のデータページ数とを、コイン綺麗印刷設定の詳細内容として含んでいる。また、図９に示す詳細内容画面は、図６に示す初期画面に戻るための閉じるボタン２４ｊを含んでいる。
【００９３】
図８に示すように、詳細表示手段４７は、閉じるボタン２４ｊが操作されたと判断するまで、閉じるボタン２４ｊが操作されたか否かを判断する（Ｓ１２３）。
【００９４】
詳細表示手段４７は、閉じるボタン２４ｊが操作されたとＳ１２３において判断すると、表示部２４の表示を図６に示す初期画面に戻して（Ｓ１２４）、図８に示す処理を終了する。
【００９５】
以上においては、図６に示す初期画面の綺麗印刷用設定コピーボタン２４ａに対応する設定の詳細内容について説明しているが、大量印刷用設定コピーボタン２４ｂに対応する設定の詳細内容についても同様である。また、図７に示す初期画面の各設定用ＧＵＩに対応する設定の詳細内容についても同様である。
【００９６】
図１０は、図６に示す綺麗印刷用設定コピーボタン２４ａが操作された場合のＭＦＰ２０の動作のフローチャートである。
【００９７】
表示部２４が図６に示す初期画面を表示している場合、図８に示す処理が実行されていないときに、利用者が操作部２３を介して綺麗印刷用設定コピーボタン２４ａを操作すると、ＭＦＰ２０の制御部４０の設定反映手段４５は、図１０に示す動作を開始する。
【００９８】
図１０に示すように、設定反映手段４５は、綺麗印刷用設定コピーボタン２４ａに対応するコイン綺麗印刷設定を反映する（Ｓ１４１）。
【００９９】
次いで、設定反映手段４５は、Ｓ１４１において反映した設定でコピーを実行する（Ｓ１４２）。すなわち、設定反映手段４５は、スキャナー２６によって原稿から画像を読み取り、その読み取った画像をＳ１４１において反映した設定でプリンター２５によって記録媒体に印刷する。
【０１００】
設定反映手段４５は、Ｓ１４２の処理を終了すると、図１０に示す処理を終了する。
【０１０１】
以上においては、図６に示す初期画面の綺麗印刷用設定コピーボタン２４ａが操作された場合について説明しているが、大量印刷用設定コピーボタン２４ｂが操作された場合についても同様である。また、図７に示す初期画面の各設定用ＧＵＩが操作された場合についても同様である。なお、図７に示す最適セキュリティープリントボタン２４ｆが操作された場合、設定反映手段４５は、Ｓ１４２において、コピーではなく、セキュリティープリントを実行する。すなわち、設定反映手段４５は、記憶部３０上の認証要印刷データ３５またはサーバー５０の記憶部６０上の認証要印刷データ６４に含まれるＩＤおよびパスワードが認証利用者のＩＤおよびパスワードと一致する場合に、記憶部３０上の認証要印刷データ３５またはサーバー５０の記憶部６０上の認証要印刷データ６４に基づいた画像をＳ１４１において反映した設定でプリンター２５によって記録媒体に印刷する。
【０１０２】
図１１は、利用者からログアウトの操作を受けた場合のＭＦＰ２０の動作のフローチャートである。
【０１０３】
利用者が操作部２３を介してＭＦＰ２０にログアウトの操作を入力すると、ＭＦＰ２０の制御部４０は、図１１に示す動作を開始する。
【０１０４】
図１１に示すように、ＭＦＰ２０の制御部４０は、現在の印刷設定で記憶部３０上の前回ログアウト時印刷設定３４またはサーバー５０の記憶部６０上の前回ログアウト時印刷設定６３を更新する（Ｓ１６１）。
【０１０５】
次いで、制御部４０の設定登録手段４３は、Ｓ１０９においてプログラムとして登録した複数通りの設定を解除する（Ｓ１６２）。
【０１０６】
制御部４０は、Ｓ１６２の処理の後、図１１に示す処理を終了する。
【０１０７】
以上に説明したように、ＭＦＰ２０は、ログイン利用者情報に基づいて構築した（Ｓ１０８）複数通りの設定のうち、利用者によって指定された設定を反映する（Ｓ１４１）ので、従来より利用者に適した設定を反映することができる。
【０１０８】
ＭＦＰ２０は、表示部２４に表示した設定用ＧＵＩを利用者が操作するだけで設定を反映するので、利用者に容易に設定を実行させることができる。
【０１０９】
ＭＦＰ２０は、ログイン利用者情報に基づいて構築した複数通りの印刷設定のうち、利用者によって指定された印刷設定を反映することができるが、印刷設定以外の設定をログイン利用者情報に基づいて構築するようになっていても良い。例えば、ＭＦＰ２０は、スキャナー２６によって原稿から読み取った画像をファックス通信部２７を介して外部のファクシミリにＦＡＸ送信する場合の設定をログイン利用者情報に基づいて構築するようになっていても良い。また、ＭＦＰ２０は、スキャナー２６によって原稿から読み取った画像をネットワーク通信部２８を介して電子メールで送信する場合、すなわち、いわゆる「Ｓｃａｎ  ｔｏ  Ｅ−ｍａｉｌ」の場合の設定をログイン利用者情報に基づいて構築するようになっていても良い。また、ＭＦＰ２０は、スキャナー２６によって原稿から読み取った画像をネットワーク通信部２８を介してＰＣ８０などの外部のＰＣに送信する場合、すなわち、いわゆる「Ｓｃａｎ  ｔｏ  ＰＣ」の場合の設定をログイン利用者情報に基づいて構築するようになっていても良い。
【０１１０】
また、ＭＦＰ２０は、許可分量情報における印刷の分量の範囲内で印刷可能なデータページ数が最大となる印刷設定、すなわち、コイン最大印刷設定または認証最大印刷設定をＳ１０８において構築する複数通りの印刷設定に含んでいるので、利用者に許可されている印刷の分量の範囲内で印刷可能なデータページ数が最大となる印刷設定を反映することができる。したがって、ＭＦＰ２０は、印刷可能なデータページ数が最大となる印刷を利用者に容易に実行させることができる。
【０１１１】
また、ＭＦＰ２０は、コインベンダー２１を介してログインが受け付けられた利用者の許可分量情報における印刷の分量がコインベンダー２１を介した入金の金額であるので、印刷可能なデータページ数が入金の金額の範囲内で最大となる印刷設定、すなわち、コイン最大印刷設定を反映することができる。
【０１１２】
また、ＭＦＰ２０は、ログイン利用者情報に基づいて構築した複数通りの設定の詳細内容を図９に示すように表示するので、複数通りの設定のうち反映する設定を利用者に容易に選択させることができる。
【０１１３】
また、ＭＦＰ２０は、利用者に許可されている印刷の分量の範囲内で印刷可能な最大のデータページ数を印刷の設定毎に図９に示すように表示するので、複数通りの印刷の設定のうち反映する設定を利用者に容易に選択させることができる。
【０１１４】
また、ＭＦＰ２０は、利用者がログアウトした場合にログアウトした利用者に対して登録されていた複数通りの設定の登録を解除する（Ｓ１６２）ので、表示部２４に表示する設定用ＧＵＩを利用者毎に切り替えることができる。したがって、ＭＦＰ２０は、利用者に適した設定を反映することができる。
【０１１５】
なお、本発明の入金デバイスは、本発明においてコインによって入金を受け付けるようになっているが、紙幣、クレジットカード、ＩＣカード型電子マネーなど、何らかの方法で入金を受け付けるようになっていれば良い。
【０１１６】
本発明の画像形成装置は、本実施の形態においてＭＦＰであるが、プリンター専用機、ファックス専用機、コピー専用機など、ＭＦＰ以外の画像形成装置であっても良い。
【符号の説明】
【０１１７】
１０  ネットワークシステム（画像形成システム）
２０  ＭＦＰ（画像形成装置）
２１  コインベンダー（入力デバイス、入金デバイス）
２２  ＩＣカードリーダー（入力デバイス）
２３  操作部（入力デバイス）
２４  表示部（表示デバイス）
２４ａ  綺麗印刷用設定コピーボタン（設定用ＧＵＩ）
２４ｂ  大量印刷用設定コピーボタン（設定用ＧＵＩ）
２４ｃ  詳細内容表示ボタン（詳細表示用ＧＵＩ）
２４ｄ  最多実行設定コピーボタン（設定用ＧＵＩ）
２４ｅ  前回ログアウト時設定コピーボタン（設定用ＧＵＩ）
２４ｆ  最適セキュリティープリントボタン（設定用ＧＵＩ）
２４ｇ  綺麗印刷用設定コピーボタン（設定用ＧＵＩ）
２４ｈ  大量印刷用設定コピーボタン（設定用ＧＵＩ）
２４ｉ  詳細内容表示ボタン（詳細表示用ＧＵＩ）
２５  プリンター（印刷デバイス）
３１  設定変更プログラム
３３  操作履歴（ログイン利用者情報）
３４  前回ログアウト時印刷設定（ログイン利用者情報）
３５  認証要印刷データ（ログイン利用者情報）
３６  許可分量情報（ログイン利用者情報）
３７  許可設定情報（ログイン利用者情報）
４１  ログイン受付手段
４２  設定構築手段
４３  設定登録手段
４４  設定用ＧＵＩ表示手段
４５  設定反映手段
４６  詳細表示用ＧＵＩ表示手段
４７  詳細表示手段
５０  サーバー
６２  操作履歴（ログイン利用者情報）
６３  前回ログアウト時印刷設定（ログイン利用者情報）
６４  認証要印刷データ（ログイン利用者情報）
６５  許可分量情報（ログイン利用者情報）
６６  許可設定情報（ログイン利用者情報）
７１  設定構築手段
【図１】
0005701227.tif 000002
【図２】
0005701227.tif 000003
【図３】
0005701227.tif 000004
【図４】
0005701227.tif 000005
【図５】
0005701227.tif 000006
【図６】
0005701227.tif 000007
【図７】
0005701227.tif 000008
【図８】
0005701227.tif 000009
【図９】
0005701227.tif 000010
【図１０】
0005701227.tif 000011
【図１１】
0005701227.tif 000012